(57)【特許請求の範囲】
【請求項１】
地下水位が高い地盤において、鋼製芯材が挿入されたソイルセメントパイル柱列と、その外側に所定の距離を隔てて鋼製芯材が挿入されていないソイルセメントパイル柱列とをそれぞれ打設し、
前記両柱列間の地盤に所定の間隔で所定の深さにウエルポイントを施工し、地下水を揚水することにより、内外の柱列とその間の地盤を一体化して側圧に対する外側の柱列の抵抗力を大きくすることを特徴とする自立山留め壁の施工方法。
【請求項２】
前記ウエルポイントの打込み深さは、根切り深さ以深であることを特徴とする請求項１記載の自立山留め壁の施工方法。
【発明の詳細な説明】
【０００１】
【産業上の利用分野】
本発明は、土木工事におけるソイルセメント柱列による自立山留め壁の施工方法に関するものである。
【０００２】
【従来の技術】
一般に、ソイルセメントパイル柱列による自立山留め壁（切梁なしの山留め壁）においては、各々のソイルセメントパイル（セメントミルクと掘削土を混ぜたソイルセメント製の杭体）又は１本おきのソイルセメントパイルにＨ形鋼等の鋼製芯材を埋設して、土圧に対抗するように構成されていた。
【０００３】
しかしながら、掘削深度が深くて地下水位が高いような条件下では、側圧が大きいため柱列壁そのものが自立できず、自立山留めが実施できなかった。又水圧が大きくなるためソイルセメントパイル同士のわずかな間隙から漏水事故が発生することがあった。
又、地盤が軟弱な場合は根切深さ５ｍ程度が自立山留めの限界深さであった。
【０００４】
前記欠点を解消するため、特開平６−２４０６６２号に開示された「ソイルパイル柱列による自立山留め壁」が提案された。
【０００５】
前記発明は、図４に示すように、鋼製芯材ｂが挿入された芯入りのソイルセメントパイル柱列１の外側に鋼製芯材ｂの挿入されていない無芯のソイルセメントパイル柱列２を間隔Ｌを隔てて築造したものであった。
【０００６】
前記発明は、土圧と外側の無芯のソイルセメントパイル柱列が対抗する水圧に対しては内側の芯入りソイルセメントパイル柱列が対抗し、地下水の漏れに対しては外側の無芯のソイルセメントパイル柱列が対抗することになる。即ち、内側の芯入りソイルセメントパイル柱列は、鋼製芯材が挿入されているので、大きな側圧に対抗できる反面、鋼製芯材とソイルセメントパイルとでは、側圧に対する抵抗力や変形量が異なるため、ソイルセメントパイル部分にクラックが発生したり、鋼製芯材とソイルセメントパイルとが剥離する可能性があり、止水性能を確保し難い。一方、外側の無芯のソイルセメントパイル柱列は、鋼製芯材が挿入されていないため、大きな側圧に対抗できない反面、側圧により全体が均一な状態に変形してクラック等の発生が抑制されることになる。
従って両者の組合わせにより、高い止水性能が確保されるものであった。
【０００７】
【発明が解決しようとする課題】
自立山留め壁に作用する側圧は土圧と水圧との総和であるが、地下水位が高い地盤では側圧の大半が水圧である場合が多い。
従って、前記従来の自立山留め壁では、止水性能は高いが地下水圧が高い地盤の場合、内側の鋼製芯材ｂが挿入された芯入りのソイルセメントパイル柱列１を相当強度のあるものにする必要があり、ソイルセメントパイルａの径を大きくし、かつ鋼製芯材ｂも大きいものにする必要があり、施工の点でも手間がかかるだけでなく費用もかさむ結果となっていた。
【０００８】
本発明は前述した事情に鑑みてなされたものであり、地下水位が高い地盤において、鋼製芯材が挿入された芯入りのソイルセメントパイル柱列１の外側に鋼製芯材が挿入されていない無芯のソイルセメントパイル柱列２を打設し、かつ、両柱列間にウエルポイントを施工し、地下水を揚水して内外の柱列とその間の地盤が一体化され恰も複合部材の如く挙動させることにより、従来の欠点を解消した自立山留め壁の施工方法を提供するものである。
【０００９】
【課題を解決するための手段】
本発明に係る自立山留め壁の施工方法は、地下水位が高い地盤において、鋼製芯材が挿入されたソイルセメントパイル柱列と、その外側に所定の距離を隔てて鋼製芯材が挿入されていないソイルセメントパイル柱列とをそれぞれ打設し、前記両柱列間の地盤に所定の間隔で所定の深さにウエルポイントを施工し、地下水を揚水ことにより、内外の柱列とその間の地盤を一体化して側圧に対する外側の柱列の抵抗力を大きくすることを特徴とする。
【００１０】
また、本発明の前記ウエルポイントの施工深さは、根切り深さ以上であることを特徴とする。
【００１１】
【作用】
ウエルポイントから地下水を揚水すると、地下水の水位が下がるので、内側の鋼製芯材が挿入された柱列にかかる水圧による側圧が軽減されると共にウエルポイントの効果が完全に発揮されるため根切りによる水漏れが完全に解消される。加うるに、地下水位が下がると内外の柱列に囲まれた地盤の力学特性が大幅に向上するため、内外の柱列とその間の地盤が一体化され恰も複合部材の如く挙動する。そのため、外側柱列に作用する側圧に対して大きな抵抗力を発揮することができる。
【００１２】
【実施例】
以下添付図に基づいて本発明の実施例を詳細に説明する。
図１は本発明の実施例を示す自立山留め壁の施工方法を説明する平面図、図２は本発明の実施例を示す部分平面図、図３は本発明の実施例を示す断面図である。
図１において、Ａは掘削深度が浅く、かつ水圧の低い領域、Ｂは掘削深度が深く、かつ水圧の高い領域である。
領域Ａを取り囲む自立山留め壁の大部分は１本おきのソイルセメントパイルａにＨ形鋼の鋼製芯材ｂが挿入された通常の一重のソイルセメントパイル柱列となっているが、領域Ｂの外周部と、この領域Ｂの両端から領域Ａに所定の距離入り込んだ位置にかけて打設される自立山留め壁は、二重のソイルセメント柱列となっている。
【００１３】
即ち、各々のソイルセメントパイルａにＨ形鋼の鋼製芯材ｂが挿入された芯入りのソイルセメントパイル柱列１の外側に、ソイルセメントパイルａに鋼製芯材ｂが挿入されていないいわゆる無芯のソイルセメントパイル柱列２を所定の距離Ｄを隔てて打設する。
なお、図示の実施例では、内側の芯入りのソイルセメントパイル柱列１と、外側の無芯のソイルセメントパイル柱列２とは、図１に示すように両端部において互いに接続されているが、二重のソイルセメントパイル柱列パイル柱列１、２を領域Ａに深く入り込んだ位置まで延長する場合には、両端部を図のように接続しなくてもよい。
【００１４】
そして、図３に示すように両柱列１、２間の地盤には所定の間隔で所定の深さ（地下水位の深さによっては根切り深さ以上であることが好ましい）にウエルポイント３０を打込み、地下水を揚水する。
ウエルポイントとは、外径５〜８ｃｍ、長さ０．５〜０．７ｍのポーラスなスクリーンを有する吸水管からできた全長約１．０ｍの小井戸の先端部分のことで、現在使用されているものは先端から水を射出しながら設置できるセルフジェッティングタイプとなっている。
前記ウエルポイント３０にライザーパイプ１２を接続した状態で所定の深さに打込み、ジェットのみでは穿孔が不充分な場合は、穿孔カッターを使用する。
そして、ライザーパイプ１２の周囲にはサンドフィルターを所定量充填する。
【００１５】
そして、所定の間隔でウエルポイント３０が打ち込まれたら、ヘッダーパイプ１０を布設し、ライザーパイプ１２上端とヘッダーパイプ１０とをスイングジョイン１１にて連結する。
２０は揚水装置で、真空ポンプで揚水した水をヒューガルポンプで排水するようになっている。
【００１６】
ただし、柱列の打設深さが深く、従って深い地層から揚水をする必要がある場合には、ディープウェルによる揚水を行うこともできる。この場合は径の大きな井戸を穿孔し、井戸底に水中ポンプを設置して揚水するので施工径が大きくなり、その分柱列管の距離Ｄをそれに応じて大きくとって施工する。
【００１７】
しかして、図３に示すようにＡの地下水位が、柱列１，２間においてはＢの位置に低下する。
従って、内側の芯入りのソイルセメント柱列にかかる側圧が低下するだけでなく、地下水位が下がると内外柱列に囲まれた部分の力学特性が向上するため、内外柱列とその間の地盤が一体化され、恰も複合地盤の如く挙動することになる。
【００１８】
【発明の効果】
以上詳細に説明した本発明によれば、下記のような効果を奏するものである。
（１）外側の無芯のソイルセメントパイル柱列の内側で地下水を抜くので、地下水位が下がると内外柱列に囲まれた部分の地盤の力学特性が大幅に向上するため、内外柱列とその間の地盤が一体化され、恰も複合地盤の如く挙動する。そのため外側柱列に作用する側圧に対して大きな抵抗力を発揮する。従って、内側の芯入りのソイルセメントパイル柱列にかかる側圧が低下し、柱列の直径を小さくでき、かつ鋼製芯材のサイズが小さく設計できるだけでなく、鋼製芯材を挿入するソイルセメントパイルの本数を減少させることもできる。
（２）ウエルポイントの範囲が限定されているため、その効果が確実・完全となり、柱列同士のラップが多少不良であっても漏水の恐れがなく、確実な止水ができる。
（３）従って、従来技術ではできなかった大深度の自立山留工を経済的に施工することができる。
【図面の簡単な説明】
【図１】本発明の一実施例を示す自立山留め壁の施工方法を説明する平面図である。
【図２】本発明の一実施例を示す部分平面図である。
【図３】本発明の実施例を示す断面図である。
【図４】従来の自立山留め壁の平面図である。
【符号の説明】
１    芯入りのソイルセメントパイル柱列
２    無芯のソイルセメントパイル柱列
２０    揚水装置
３０    ウエルポイント
ａ    ソイルセメントパイル
ｂ    鋼製芯材
Ｄ    距離
【図１】
0003590842.tif 000002
【図２】
0003590842.tif 000003
【図３】
0003590842.tif 000004
【図４】
0003590842.tif 000005